(57)【要約】【課題】鋼板の扉シートに断熱壁内に入り込むような把手を形成する場合は、把手を形成する複数の要素部品を組み立てて把手を形成しなくてはならなかった。本発明は、極めて安価に製作可能で、組み立て時、要素部品同士を嵌合する手間を省いて工数を削減することを目的とする。【解決手段】  本発明の把手装置は扉シート６にシート面から内側に湾曲して入り込む凹所９が形成される。また、扉シート６にはこの凹所９の縦に延びる曲面に沿って鎌形の透孔１０が穿設される。この透孔１０内に単一要素からなる把手５が第１の縁端１１と第２の縁端１２とにわたすように設けられる。これにより、１枚の鋼鈑からなる扉シートに把手を形成する場合に、この把手を１個（単一要素）で形成しても取付け可能となる。【選択図】        図１
2004163100.tif 000002
【特許請求の範囲】
【請求項１】
鋼板からなる扉シートに保持される樹脂製の把手を備え、前記扉シートに断熱壁内に入り込むように縦に曲面を保って延びる凹所と、該扉シートのシート面と面一を保って縦に延びる第１の縁端および前記凹所の該曲面に倣い縦に延びる第２の縁端とを形成すると共に、前記凹所の該曲面に沿って鎌形の透穴を形成し、単一要素からなる前記把手を前記透孔内に前記第１の縁端と前記第２の縁端との間にわたすように保持してなる冷蔵庫の把手装置。
【発明の詳細な説明】
【技術分野】
【０００１】
本発明は、たとえば冷蔵庫の冷蔵室の断熱扉に付設される把手装置に関する。
【背景技術】
【０００２】
冷蔵庫の冷蔵室、冷凍室、野菜室入口にはそれぞれに断熱扉が設けられている。これらの扉が断熱構造を採用する理由はいうまでもなく保冷のためであるが、この断熱構造のために扉自体はかなり厚みが増すことになる。この断熱扉にはパネル面に扉開閉用の把手が付設される。従来、この把手はパネル面から握りの部分を突出させる構造のものが数多くみられたが、近年スペースの活用により有利な把手の大部分を十分な厚みのある断熱扉内に埋め込み、パネル面とほぼ面一にしたものが多くみられる。
【０００３】
通常、把手は扉外板の内側に取り付けられる固定用の固定具を形成する下地材、この下地材に固定される把手本体およびこの把手本体の外側で美観を保つ硬質樹脂材料からなる装飾材の３要素部品からなり、これらの要素部品が組み立てられて把手として構成される。
【特許文献１】特開平６−１５９９１６号公報
【発明の開示】
【発明が解決しようとする課題】
【０００４】
上記の把手は操作性において申し分なく、また冷凍冷蔵庫の美観を保つうえでも不満のないものであるが、以下のような問題がある。すなわち、この把手は下地材、発泡材および装飾材の３要素部品から構成されており、それぞれの製作には多くの費用が発生して把手が高価になる。また、複数の要素部品を組み立てる必要があり、ときに嵌合に手間取り、これに費やす時間が長くなって無駄が多くなる。さらに、要素部品間にはほんの僅かではあるが、隙間があり把手操作中、要素部品同士が擦れ合って不快なきしみ音が発生する。
【０００５】
そこで、本発明の目的は極めて安価に製作可能で、しかも要素部品同士を嵌合する手間を省いて組み立てにおける工数を削減するようにした冷蔵庫の把手装置を提供することにある。
【課題を解決するための手段】
【０００６】
上記目的を達成するために請求項１に係る発明は鋼板からなる扉シートに保持される硬質樹脂性の把手を備え、扉シートに断熱壁内に入り込むように縦に曲面を保って延びる凹所と、扉シートのシート面と面一を保って縦に延びる第１の縁端および凹所の曲面に倣い縦に延びる第２の縁端とを形成すると共に、凹所の曲面に沿って鎌形の透孔を穿設し、単一要素からなる把手を透孔内に第１の縁端と第２の縁端との間にわたすように保持したことを特徴とするものである。
【発明の効果】
【０００７】
以上説明したように本発明は扉シートに断熱壁内に入り込むように縦に曲面を保って延びる凹所と、扉シートのシート面と面一を保って延びる第１の縁端および凹所の曲面に倣い縦に延びる第２の縁端とを形成すると共に、凹所の曲面に沿って鎌形の透孔を穿設し、その透孔内に単一要素からなる把手を第１の縁端と第２の縁端とにわたすように保持したので、単一要素からなる把手を極めて安価に製作できると共に、組み立て時、要素部品を嵌合する必要がなく、工数を大きく削減することが可能になる。
【発明を実施するための最良の形態】
【０００８】
以下、本発明の実施の形態を図面を参照して説明する。図４において、冷蔵庫は全域を開口させた前面を除く両側面、背面、天井面および底面を断熱壁として構成される箱状の本体１を有する。この本体１は鋼板からなる外箱と硬質樹脂材料からなる内箱との間に発泡ウレタン等の断熱材を充填して構成される。また、この本体１の内部はその内部に断熱材を充填している上および下仕切り壁（図示せず）によってそれぞれ独立した冷蔵室、冷凍室および野菜室（いずれも図示せず）に区画されている。
【０００９】
さらに、最上部の冷蔵室の前面開口は気密の高い回動式の断熱扉２によって密閉されている。また、冷蔵室の下側の冷凍室は気密の高い引き出し式の断熱扉３ａ、３ｂ（本実施の形態の冷凍室は上下２段からなる）によって、また冷凍室の下側の野菜室は気密の高い引き出し式の断熱扉４によってそれぞれ密閉されている。
【００１０】
さらに、冷蔵室２の断熱扉２の図の左側側面近くに把手５が設けられている。この把手５は図１に示すように、一部を除いて十分な厚みを有する断熱扉２内に埋め込まれている。本実施の形態の断熱扉２は薄い鋼板からなる扉シート６と、硬質樹脂材料からなる扉パネル７と、扉シート６と扉パネル７との間に充填される発泡ウレタン等の断熱材８とから構成されている。
【００１１】
扉シート６にはシート面から内側に湾曲して入り込む凹所９が形成される。この凹所９は把手５に倣って縦に曲面を保って延びている（図４参照）。さらに、扉シート６にはこの凹所９の縦に延びる曲面に沿って鎌形の透孔１０が穿設されている。この透孔１０には後に詳述される把手５の内側本体が収容される。また、扉シート６は扉シート６のシート面と面一を保って縦に延びる第１の縁端１１および凹所９の曲面に倣い縦に延びる第２の縁端１２を有する。この第１および第２の縁端１１、１２は後に詳述される把手５のリブおよび保持部と協働として把手５を決められた位置に保持するためのものである。
【００１２】
以下、図２（ａ）（ｂ）および図３（ａ）（ｂ）（ｃ）を参照して本実施の形態に係る把手５を説明する。図２（ａ）（ｂ）において、把手５は断熱壁の外側を区画している扉シート６の外側に置かれる外側装飾体１４と、扉シート６の内側の断熱壁内に配置される内側本体１５とから構成される。この外側装飾体１４と内側本体１５とは硬質樹脂材料を用いて一体に構成される。
【００１３】
図３（ａ）（ｂ）（ｃ）において、外側装飾体１４は外に露出させる外面１６および扉シート６に当接される平面状の内面１７とを有する。この内面１７に向かって内側本体１５から複数個のリブ１８が延びており、内面１７とこのリブ１８との間で上記の扉シート６の第１の縁端１１を挟み込み（図１参照）、把手５の外側装飾体１４が保持されるようになっている。
【００１４】
一方、内側本体１５には長手方向の中央部に使用者が親指を除く全部の指を掛けるのに十分な大きさを確保して断面Ｕ字形のポケット部１９が形成されている。また、内側本体１５にはこのポケット部１９に倣い扉シート６に当接される曲面状の外面２０が形成されている。この外面２０と直ぐ隣接して複数個の保持部２１が設けられており、外面２０とこの保持部２１との間で上記の扉シート６の第２の縁端１２を挟み込み（図１参照）、把手５の内側本体１５が保持されるようになっている。
【００１５】
したがって、把手５の取り付けは外側装飾体１４の内面１７と内側本体１５のリブ１８との間に第１の縁端１１を挟み込みながら、把手５を断熱扉２の端の方向に押し込み、その後把手５を中心方向に戻しつつ、内側本体１５の外面２０と保持部２１との間に第２の縁端１２を挟み込んで固定する。この把手５が固定された位置では把手５のポケット部１９と扉シート６の凹所９がつながり、図１に示すような把手装置が完成する。この後、断熱壁を形成する発泡ウレタンを発泡させることで、把手５が内側本体１５のまわりを取り囲む断熱材８で強固に固定される。
【００１６】
このように構成される把手装置においては単一の要素部品である把手５のみを成形すればよく、他の把手構成部品を成形する必要がなく極めて安価である。
【００１７】
また、組み立てにおいても外側装飾体１４の内面１７とリブ１８との間に扉シート６の第１の縁端１１を挟み込み、一方また内側本体１５の外面２０と保持部２１との間に扉シート６の第２の縁端１２を挟み込むだけで確実に保持でき、従来の要素部品同士を嵌合させつつ組み立てるものと比較して工数を大きく削減することができる。
【００１８】
一方、単一の要素からなる把手５は複数の要素部品からなる把手のように部品同士が擦れ合うことがなく、不快なきしみ音が生じるのを完全に抑えることが可能である。
【００１９】
なお、上記実施の形態は冷蔵庫の冷蔵室の断熱扉２に対して適用したものであるが、冷凍室、野菜室などの断熱扉に対しても同様に適用することができる。
【００２０】
本願は扉シートに断熱壁内に入り込むように縦に曲面を保って延びる凹所と、扉シートのシート面と面一を保って延びる第１の縁端および凹所の曲面に倣い縦に延びる第２の縁端とを形成すると共に、凹所の曲面に沿って鎌形の透孔を穿設し、その透孔内に単一要素からなる把手を第１の縁端と第２の縁端とにわたすように保持したので、単一要素からなる把手を極めて安価に製作できると共に、組み立て時、要素部品を嵌合する必要がなく、工数を大きく削減することが可能になる。
【００２１】
さらに、本願は把手の外側装飾体の内面とリブとの間に扉シートの第１の縁端を挟み、また、内側本体の外面と保持部との間に扉シートの第２の縁端を挟み込むように保持したので、把手を確実に保持することができる。
【図面の簡単な説明】
【００２２】
【図１】本発明に係る把手装置の要部を示す断面図。
【図２】（ａ）（ｂ）は本発明に係る把手の斜視図。
【図３】（ａ）は図２に示される把手の正面図。（ｂ）は同じ把手の側面図。（ｃ）は同じ把手の背面図。
【図４】本発明に係る把手装置を組み込んで構成される冷蔵庫の正面図。
【符号の説明】
【００２３】
５  把手
６  扉シート
８  断熱材
９  凹所
１４  外側装飾体
１５  内側本体
１８  リブ
１９  ポケット部
２１  保持部
【図１】
2004163100.tif 000003
【図２】
2004163100.tif 000004
【図３】
2004163100.tif 000005
【図４】
2004163100.tif 000006